(57)【要約】  リング・バックまたはリング・トーンなどの個別の位置対応指標が説明される。そのような機能は、音声と映像との両方の種類の多くの固有の位置・ベースのリング・トーンおよびリング・バックをカスタマに提供するために、ワイヤレス・サービス・プロバイダによって提供されることが可能である。例として、第２の着信側がサンフランシスコにいる場合には、ゴールデン・ゲート・ブリッジの画像などの位置を示す映像リング・バックが第１の発信側に提供されてもよく、またはリング・トーンは、同僚、家族、友人または特定の個人などの異なるクラスの発信者のための異なるリング・トーンで、着信側が職場にいてビジーであること、在宅中でビジーではないこと、またはその他を示してもよい。
2009508366.tif 000002
【特許請求の範囲】
【請求項１】
個別の位置対応指標を提供するための方法であって、
着信側の携帯機器についての位置情報を取得する工程と、
前記個別の位置対応指標を発信側に提供する工程とを含み、前記個別の位置対応指標が、前記着信側の前記携帯機器についての前記位置情報の関数である方法。
【請求項２】
前記位置情報を取得する工程が、前記発信側から前記着信側の前記携帯機器への呼の設定の一部として実行される請求項１に記載の方法。
【請求項３】
前記個別の位置対応指標がリング・トーンまたはリング・バックであり、
前記位置情報の関数である複数の位置対応リング・トーンもしくはリング・バック、またはリング・トーンおよびリング・バックを記憶する工程と、
前記複数の記憶された位置対応リング・トーンもしくはリング・バック、またはリング・トーンおよびリング・バックから、前記位置対応リング・トーンまたはリング・バックを提供する工程とをさらに含む請求項１に記載の方法。
【請求項４】
前記複数の個別の位置対応リング・トーンまたはリング・バックが、前記着信側の自宅および職場として識別される位置のためのリング・トーンまたはリング・バックを含む請求項３に記載の方法。
【請求項５】
発信側の少なくとも第１カテゴリと第２カテゴリとを確立する工程と、
少なくとも２つの異なる位置対応リング・トーンまたはリング・バックを記憶する工程と、
前記発信側が前記第１カテゴリに入るのか、または前記第２カテゴリに入るのかどうかに応じて、前記位置情報の関数として異なる位置のリング・トーンまたはリング・バックを提供する工程とをさらに含む請求項１に記載の方法。
【請求項６】
個別の位置対応指標を提供するためのシステムであって、
着信側の携帯機器についての位置情報を取得するための手段と、
前記個別の位置対応指標を発信側に提供するための手段とを備え、前記位置対応指標が、前記着信側の前記携帯機器についての前記位置情報の関数であるシステム。
【請求項７】
前記取得するための手段が、位置情報を取得するために、前記発信側から前記着信側の携帯機器への呼の設定の一部として動作する請求項６に記載のシステム。
【請求項８】
前記個別の位置対応指標がリング・トーンまたはリング・バックであり、
複数の位置対応リング・トーンもしくはリング・バック、またはリング・トーンおよびリング・バックを記憶するメモリと、
前記複数の記憶された位置に合わせたリング・トーンもしくはリング・バック、またはリング・トーンおよびリング・バックを記憶するメモリから、前記位置対応リング・トーンまたはリング・バックを提供するための手段とをさらに備える請求項６に記載のシステム。
【請求項９】
前記複数の位置対応リング・トーンもしくはリング・バック、またはリング・トーンおよびリング・バックが、少なくとも前記着信側の自宅および職場として識別される位置の関数であるリング・トーンまたはリング・バックを備える請求項６に記載のシステム。
【請求項１０】
発信側の少なくとも第１カテゴリと第２カテゴリとを記憶するメモリであって、同じ位置情報に合わせた少なくとも２つの異なる位置対応リング・トーンまたはリング・バックを記憶するメモリと、
前記発信側が前記第１カテゴリに入るのか、または前記第２カテゴリに入るのかどうかに応じて、同じ位置情報のために異なる位置対応リング・トーンまたはリング・バックを提供するための手段とをさらに備える請求項６に記載のシステム。
【発明の詳細な説明】
【技術分野】
【０００１】
本発明は一般に移動通信分野における改良技術に関し、特に、リング・トーンまたはリング・バックなどの個別の（personalized）位置対応指標（location-enabled indicators）を提供するためのシステムおよび方法に関する。
【背景技術】
【０００２】
リング・トーン（ring tone）およびリング・バック（ring back）は、遠距離通信の世界で成長中のビジネスである。世界の多くの地域のセルラーまたはワイヤレス加入者は、新しいリング・トーンを購入および交換し、またリング・バック・プリファレンスを設定することを強く望んでいる。一方で、リング・トーンとは、例えば呼を受信したときに携帯電話で再生される呼び出し音などの音声である。単に例として、好きな楽曲の一部であるか、または多くの特有の選択肢のあるオプション・メニューから選択されるリング・トーンをユーザがダウンロードすることは、稀なことではない。典型的に今日の電話機は、発信者に基づいて、および一日のうちの時間にさえ基づいて、異なるリング・トーン・プリファレンスを設定する機能をユーザに提供する。
【０００３】
他方で、リング・バックとは典型的には、着信側によるプリファレンス設定に応じて、電話がダイヤルされた後に発信側に返送される音声バイトである。リング・トーンは純粋にハンドセットに存在するソフトウェア技術によって支援されることが可能であるが、リング・バックの支援は、呼の設定段階の間のワイヤレス・ネットワークからの広範囲の支援を必要とする。通信製品およびサービスのプロバイダである６００Ｍｏｕｎｔａｉｎ  Ａｖｅｎｕｅ  Ｍｕｒｒａｙ  Ｈｉｌｌ，ＮＪ  ０７９７４のＬｕｃｅｎｔ  Ｔｅｃｈｎｏｌｏｇｉｅｓ社は、サービス・プロバイダが自社のワイヤレス・ネットワークの中で高度なリング・バック解決法を配備することを可能にする、ＭｉＲｉｎｇＢａｃｋと呼ばれる製品を開発した。
【０００４】
ｉＬｏｃａｔｏｒとは、これもまたＬｕｃｅｎｔ  Ｔｅｃｈｎｏｌｏｇｉｅｓ社による、プライバシー制御を組み込んだ家族、友人および会社に対する警報および追跡などのカスタムの位置および存在をベースとしたサービスを支援する位置ベースのサービス・プラットフォームである。ｉＬｏｃａｔｉｏｎはその多くの機能の中で、Ｌｕｃｅｎｔ  Ｔｅｃｈｎｏｌｏｇｉｅｓ社の製品である、ネットワーク関連の情報を取得するためのインテリジェント・サービス・ゲートウェイ（ＩＳＧ）とインタフェースする。
【発明の開示】
【発明が解決しようとする課題】
【０００５】
本発明は、リング・トーンまたはリング・バックなどの個別の（personalized）位置対応指標（location-enabled indicator）を提供するための改善された方法および装置を実現することを目的とする。
【課題を解決するための手段】
【０００６】
本発明はその複数の態様の中で、上述の製品の機能が、本明細書でさらに説明される、個別の（ユーザごとの）位置対応リング・バックおよびリング・トーンなどの広範囲にわたる多数の個別の位置指標を提供するために、本明細書で教示されるように有利に組み合わせられることが可能であることを認める。サービス・プロバイダが提供を望むと思われる、またはモバイル・ユーザが欲すると思われるすべての有意義な使用法を想定することは難しいが、以下で複数の例示的な実施例が論じられる。本発明を用いて、ユーザは、ユーザの位置に基づいて特定の発信者のセットに返信される、異なる個別の（ユーザごとの）リング・バックまたはリング・トーンを設定することができる。例えば、第１トーンは、ユーザが職場にいることを同僚に対して示すことができるが、友人に対してはビジーであったことを示す。第２トーンは、ユーザは職場にいるが、家族に対してはビジーではないことを示すことができる。第３トーンは、ユーザが都心にいることを示すために用いられることができ、第４トーンはユーザが在宅中であり、ビジーではないことを示すために使用されることができる。
【０００７】
代替として、または加えて、ユーザは呼が接続されている間にユーザの現在の位置を示す自動メッセージを選択された発信者が得られるように、プリファレンスを設定することができる。
【０００８】
マルチメディア・メッセージング・サービス（ＭＭＳ）機能を有する電話機を用いる発信者は、着信者の現在の位置を示すＭＭＳメッセージを有利に受信することができる。例えば、ＭＭＳメッセージは着信者がニューヨーク・シティにいる場合にはタイムズ・スクエアの画像を含んでよく、着信者がワシントンＤＣにいる場合にはホワイト・ハウスの画像を含んでもよく、または単にユーザの現在の位置の地図を含んでもよい。
【０００９】
この目的のため、本発明はその複数の態様の中で、着信側の携帯機器の位置情報を取得することと、個別の位置対応指標を発信側に提供することとを含み、前記個別の位置対応指標は着信側の携帯機器についての位置情報の関数（function）である、リング・トーンまたはリング・バックなどの個別の位置対応指標を提供するための方法に対処する。さらなる態様で、位置情報を取得する工程は呼設定の一部として行われる。
【００１０】
別の態様によって、本発明は、着信側の携帯機器についての位置情報を取得するための手段と、前記個別の位置対応指標を発信側に提供するための手段とを含み、前記位置対応指標が着信側の携帯機器についての位置情報の関数である、リング・トーンまたはリング・バックなどの個別の位置対応指標を提供するためのシステムに取り組む。このシステムの態様は、ワイヤレス基地局またはセルラー電話ハンドセットの中で具体化されてもよい。
本発明のさらに完全な理解は、本発明のさらなる特徴および利点とともに、以下の詳細な説明および添付の図面から明らかとなろう。
【発明を実施するための最良の形態】
【００１１】
ここで本発明は、本発明の複数の現時点で好ましい実施形態が示されている添付の図面を参照して、より完全に説明される。しかしながら、本発明は様々な形態で具体化されてよく、本明細書で言及される実施形態に限定されるものとして解釈されるべきではない。むしろ、これらの実施形態は、本開示がより詳細で完全なものとなり、本発明の範囲を当業者に完全に伝えるために示される。
【００１２】
当業者には理解されるように、本発明は方法、システムまたはコンピュータ読み取り可能な媒体として具体化されてよい。したがって本発明の態様は、ハードウェア実施形態、ソフトウェア実施形態、またはファームウェアなどのソフトウェア態様とハードウェア態様とを組み合わせた実施形態の形をとってもよい。さらに本発明は、媒体の中で具体化されるコンピュータ使用可能プログラム・コードを有するコンピュータ使用可能ストレージ媒体上のコンピュータ・プログラムの形をとってもよい。ハード・ディスク、ＣＤ−ＲＯＭ、光ストレージ・デバイス、フラッシュ・メモリ、磁気ストレージ・デバイスまたはその他を含む任意の適切なコンピュータ読み取り可能な媒体が利用されてよい。
【００１３】
本発明による動作を実行するためのコンピュータ・プログラム・コードまたは「コード」は、ＪＡＶＡ（登録商標）、Ｓｍａｌｌｔａｌｋ、ＪａｖａＳｃｒｉｐｔ（登録商標）、Ｖｉｓｕａｌ  Ｂａｓｉｃ（登録商標）ＴＳＱＬ、Ｐｅｒｌ、Ｃ、Ｃ＋＋などのオブジェクト指向プログラミング言語で、または様々なその他のプログラミング言語で書き込まれてもよい。本発明のソフトウェア実施形態は、特定のプログラミング言語での実装によって決まることはない。このコードの一部は、ネットワーク・サーバまたはワイヤレス・デバイスによって利用される１つまたは複数のシステム上で、完全に実行してもよい。
【００１４】
このコードは、一部が１つのネットワーク・サーバ上で実行し、一部が別のネットワーク・サーバか、または通信ネットワークを介してネットワーク・サーバと通信する携帯もしくはワイヤレス機器上で実行してもよい。前者のシナリオに関して、図１は、本発明による、個別のリング・トーンまたはリング・バックなどの個別の位置対応指標を提供するための例示的なシステム１００を示す。システム１００は、ワイヤレス・デバイス１０５１〜１０５ｎおよびワイヤレス・デバイス１１５１〜１１５ｎなどのワイヤレス・デバイス間の呼を確立するための媒体を提供するインテリジェントネットワーク（ＩＮ）１０１を含む。携帯機器はワイヤレス・デバイス、セルラーもしくはワイヤレス電話、または移動端末であり、特定のリング・トーンもしくはリング・バックなどの個別の位置指標が有用であると思われる複数の別のユーザと通信する、インターネット・プロトコル（ＩＰ）電話もしくはモバイル・ネットワーク・デバイスなどの何らかのその他の種類の携帯機器であってよい。システム１００は、Ｌｕｃｅｎｔ  Ｔｅｃｈｎｏｌｏｇｉｅｓの強化型メディア・リソース・サーバ（ｅＭＲＳ）などのインテリジェント周辺サーバ１３０、Ｌｕｃｅｎｔ  Ｔｅｃｈｎｏｌｏｇｉｅｓの強化型制御サーバ（ｅＣＳ）などのデータ・サーバ１４０、Ｌｕｃｅｎｔ  ＴｅｃｈｎｏｌｏｇｉｅｓのＭｉＬｉｆｅ（登録商標）ＩＳＧなどのインテリジェント・サービス・ゲートウェイ（ＩＳＧ）１５０、およびＬｕｃｅｎｔ  ＴｅｃｈｎｏｌｉｇｉｅｓのｉＬｏｃａｔｏｒサーバなどの位置サーバ１６０を含んでいるインテリジェント・ネットワーク（ＩＮ）デバイスのセットに結合された移動交換局（ＭＳＣ）１１０を含む。
【００１５】
ＭＳＣ１１０は、インテリジェント・ネットワーク１０１にワイヤレス・デバイスの音声およびデータ接続性を提供する。ＭＳＣ１１０は、着信側がＭｉＲｉｎｇＢａｃｋなどのリング・バック・サービスに加入しているかどうかを判定するためのオプション・データベース１２０を含む。ＭＳＣ１１０はまた、ＭＳＣ１１０がシグナリング（signaling）・システム７（ＳＳ／７）のシグナリング・プロトコルを使用して通信を行うことを可能にするサービス交換ポイント（ＳＳＰ）として動作する機能も含む。特に、呼を開始するために統合サービス・デジタル・ネットワーク・ユーザ部（ＩＳＤＮＵＰ）メッセージングが使用される。しかしながら、ＩＳＤＮメッセージング・プロトコルおよびその他などの、別のプロトコルもまた使用されてよい。ワイヤレス・デバイス１０５１〜１０５ｎおよび１１５１〜１１５ｎはＭＳＣ１１０と通信するように示されているが、複数のＭＳＣがインテリジェント・ネットワーク１０１に接続しており、ワイヤレス・デバイスの位置に応じて、ワイヤレス・デバイスが別のＭＳＣを通じて通信を行ってもよいということが理解されよう。また、例示の目的で電話機が示されているが、通信機能を備えた多くのその他の携帯機器も考えられる。インテリジェント・ネットワーク１０１を介して、１つまたは複数のワイヤレス・デバイス間で呼が確立された後、音声通信経路はインテリジェント・ネットワーク１０１か、または図示されていない公衆交換電話網（ＰＳＴＮ）などのＭＳＣ１１０が接続してもよい別のネットワークに続いてもよい。
【００１６】
インテリジェント周辺サーバ１３０は、複数のインテリジェント・ネットワーク・デバイスの間で呼処理機能を分配するなどの、インテリジェントネットワークの機能をＭＳＣ１１０に提供する。データ・サーバ１４０は、ＭＳＣ１１０などのサービス交換ポイント（ＳＳＰ）によって実行されるインテリジェント・ネットワーク（ＩＮ）サービスのために、ソート呼処理および情報の発送を含む大規模なデータベース機能を提供するインテリジェント・データベース・サービスを含む。特にデータ・サーバ１４０は、本発明の教示によって構成されるＭｉＲｉｎｇＢａｃｋサービスなどのリング・バック・サービスへの加入者の所定のプロフィールを含む。プロフィールは、加入者側の位置または存在に応じて、呼の確立前に異なる音声バイトを発信側に送信するためのルールなどの、加入者のプリファレンスを含んでもよい。さらに異なる音声は、発信側が家族、友人、同僚、優先順位の高い発信者またはその他などの所定のカテゴリに入るかどうかによって決まるものであってもよい。プロフィールはまた、着信側の位置を示す地図や、または着信側、発信側もしくはその両方の位置によって決まる調整されたメッセージを送信することなどの、その他の呼取り扱いルールを含んでもよい。データ・サーバ１４０はまた、クエリに応答して、プロフィールの中で特定されたルールを適用するユーザ・プリファレンス・アプリケーション・コードを適切に実行してもよい。
【００１７】
ＩＳＧ１５０は、１つの通信プロトコルで作成されたクエリを別の通信プロトコルに転換する。適切なインテリジェント・サービス・ゲートウェイは、エンド・ユーザ・アプリケーションにネットワーク機能を公開するｐａｒｌａｙ／ＯＳＡ（オープン・サービス・アクセス）規格に対応したネットワーク要素である。このサービス・ゲートウェイは、時間分割多元アクセス（ＴＤＭＡ）デジタル、符号分割多元アクセス（ＣＤＭＡ）またはユニバーサル移動遠距離通信システム（ＵＭＴＳ）ネットワークなどのワイヤレス・ネットワークの異なる特色に関係なく、単一のエントリ・ポイントを提供する。このサービス・ゲートウェイはまた、位置関連の要素からの位置情報の問合せを支援するために、位置相互運用フォーラム（ｌｏｃａｔｉｏｎ  ｉｎｔｅｒｏｐｅｒａｂｉｌｉｔｙ  ｆｏｒｕｍ）（ＬＩＦ）などの異なるワイヤレス規格に準拠する。
【００１８】
位置サーバ１６０は、位置およびプレゼンス・ベースの追跡および警報サービスを提供するサーバ・コードを実行する。ワイヤレス・デバイス１０５１〜１０５ｎなどのワイヤレス・デバイスは、別のワイヤレス・デバイスのプレゼンスおよび／または位置の通知を受信するために、クライアント・コードを実行してもよい。位置サーバ１６０は、図４に関連して、さらに詳細に説明される。インテリジェント・ネットワーク１０１の中で使用されてもよいインテリジェント・ネットワーク・デバイスおよび移動交換局の数は、図１で表されている例示的なものに限定されるわけではないということを理解されたい。
【００１９】
さらに、データ・サーバ１４０およびＩＰサーバ１３０の機能は、１つのサーバの中で組み合わせられてもよいということに留意されたい。デバイス１０５１〜１０５ｎはワイヤレス・デバイスとして示されているが、本発明の多くの態様が、電話呼を開始または受信することができる広範囲にわたる様々な別の携帯機器に適用されるということを理解されたい。
【００２０】
図２は、本発明による例示的な呼フロー２００を示す。この呼フロー２００は、着信側のセルラー・ワイヤレス電話の位置に応じて特定のリング・バックを提供するために、図１のシステム１００と関連して実施されるように示されている。呼フロー２００は、別のリング・バックシステムとともに容易に実施されることが可能であるということを理解されたい。呼フロー２００の方法は、ネットワーク要素の障害、着信側がネットワークの外を移動していること、およびその他を報告するネットワーク動作上のシナリオの総合的なセットを組み込む。移動交換局（ＭＳＣ）１１０は、ワイヤレス・デバイス１０５１を使用して発信側からの呼を求める要求を受信すると、第２のワイヤレス電話１１５１か、または別の携帯機器を使用する着信側がリング・バック・サービスの加入者であるかどうかを判定するために、データベース１２０に問合せを行う。リング・バック・サービスが起動されている場合、ＭＳＣ１１０は、初期アドレス・メッセージ（ＩＡＭ）か、またはその他の同様のメッセージを送信することによって、発信者に返信されるべき適切なリング・トーンのために、インテリジェント周辺装置（ＩＰ）１３０に問合せを行う。次いでインテリジェント周辺装置１３０は、トーン詳細メッセージを求める要求をデータ・サーバ１４０に送信する。
【００２１】
位置および存在対応のリング・バック・プリファレンスを支援するために、インテリジェント周辺装置１３０またはデータ・サーバ１４０もまた、着信側の現在の位置を取得するためにクエリ１２１を用いてインテリジェント・サービス・ゲートウェイ（ＩＳＧ）１５０に問合せを行う。クエリ１２１は、着信側のアドレスを含む。クエリ１２１は、ＩＳＧ１５０または位置サーバ１６０に対して直接開始されることが可能である。着信側の位置だけが判定されることを必要とする場合、ＩＳＧ１５０に対する直接インタフェースが適切である。しかしながら、例えば着信側の現在の位置の地図などの位置ベースのＭＭＳメッセージがリング・バックとして送られるべきである場合、インテリジェント周辺サーバ１３０にとっては、この機能を支援する位置サーバ１６０と直接インタフェースするのが有益である。後者の状況は、図３の考察と関連してさらに説明される。一般に、位置サーバへの直接接続は、ユーザが同様のワイヤレス技術を備えた同じネットワーク上にいるとわかっている場合にだけ使用される。別の場合では、呼は、エンド・ユーザのアプリケーションのためにプロトコルの透明性を提供するＩＳＧ１５０を通って流れることが望ましい。
【００２２】
図２に示されている前者の状況で、ＩＳＧ１５０はクエリ１２１をＩＳＤＮＵＰなどのＩＰ１３０とＩＳＧ１５０との間で使用されるプロトコルからｐａｒｌａｙ／ＯＳＡ（オープン・サービス・アクセス）などの第２プロトコルへ転換し、第２プロトコルを介して運ばれる場合を除いて、クエリ１２１に類似したクエリ１２３を発送する。次にＩＳＧ１５０は、位置サーバ１６０と通信するためにＬＩＦプロトコルを使用する。位置サーバ１６０は、ワイヤレス・デバイス１１５１〜１１５ｎを利用する加入者についてのものであり、ワイヤレス・デバイス１１５１〜１１５ｎの現在の位置を示す記録のデータベースを含む位置情報などの加入者の位置情報を追跡する。例として、位置サーバ１６０は、３つ以上の基地局からの信号測定値を使用して位置を計算するために、よく知られている三辺測量ベースの技術を適切に用いてもよい。代替として、携帯機器が、ホット・スポット接続ポイントまたはその他へのＷｉ−ｆｉ（登録商標）規格またはＢｌｕｅｔｏｏｔｈ（登録商標）規格の接続を備えたネットワークへ接続している場合、電話機は接続ポイントで登録され、接続ポイントの位置がシステムにわかっている場合、携帯機器が接続ポイントの近くにあるということが容易に判定されることが可能であり、この位置情報は利用されることが可能である。位置情報がどのようにして取得されることができるかについて、上で２つの例が挙げられているが、その他の技術もまた用いられてもよいということを理解されたい。
【００２３】
クエリ１２３を受信すると、位置サーバ１６０は着信側のアドレスを利用して、例えばワイヤレス・デバイス１１５１についての位置情報などの、着信側に対応するワイヤレス・デバイスについての位置情報を取り出すために、記録のデータベースに問合せを行う。次いで、位置サーバ１６０はワイヤレス・デバイス１１５１についての位置情報を、メッセージ１２５の中でＩＳＣ１５０に返送する。位置は、緯度と経度で特定されたワイヤレス・デバイス１１５１の未加工の位置を含んでよく、または例えば「ニュージャージー州、マーレイ・ヒル、マウンテン・アベニュー６００」などの地理的なアドレスを含んでもよい。
【００２４】
メッセージ１２５を受信すると、ＩＳＧ１５０は第２プロトコルを介して運ばれるメッセージ１２５を、第１プロトコルを介してデータ・サーバ１４０に運ばれるメッセージ１２７に変換する。データ・サーバ１４０はユーザのプリファレンス・アプリケーション・コードを実行して、適切なリング・バックを生成するために、着信側のアドレスに対応する加入者プロフィールを取り出し、プロフィールの中に記憶されたルールを適用する。例えば、返信されたワイヤレス・デバイス１１５１についての情報は、着信側が職場にいることを示す第１トーンのための音声バイトを返送するため、着信側が職場にいるためにビジーであることを示す第２トーンのための音声バイトを返信するため、またはその他のために、加入者プロフィールの中のルールを起動してもよい。返信された着信側の位置に加えて、プロフィールの中のルールはまた発信側のアドレス、１日のうちの時間、またはその他によって決まってもよい。
【００２５】
データ・サーバ１４０は、トーン詳細メッセージへの応答をインテリジェント周辺装置１３０に送信する。トーン詳細メッセージへの応答は、例えば発信側のワイヤレス・デバイス１０５１によって生成されるべき特定の音声バイトを示す。インテリジェント周辺装置１３０は、着信側が有効であることを示すために、ＭＳＣ１１０に連続性メッセージ（ＣＯＮ）を送信する。ＭＳＣ１１０上で実行するリング・バック・サービスは、加入者プロフィールの中のルールのアプリケーションにしたがって、リング・メッセージを送信する。例えば、ワイヤレス・デバイス１１５１のユーザがオフィスにいて、ワイヤレス・デバイス１０５１のユーザだけがワイヤレス・デバイス１１５１のユーザの知人である場合、リング・バック・サービスは、ワイヤレス・デバイス１１５１のユーザがビジーであることを示す音声バイトを送信してもよく、着信側が着席しているときに着信側に対して同僚の呼び出しのベルが鳴る間、その知人にはビジー・トーンが聞こえ、または着信側が席を離れているときには別のリング・バックが聞こえる。別の例として、ワイヤレス・デバイス１１５１を誰が呼び出しているかには関係なく、ワイヤレス・デバイス１１５１が職場にある場合、リング・バック・サービスはユーザがビジーであることを示す音声バイトを送信してもよい。別の例として、ワイヤレス・デバイス１１５１のユーザは、職場にいるときに午後であれば呼び出しに応じてもよいが、午前中は呼び出しに応じない。この場合、発信者に午前中にはビジー・トーンが提供される一方で、午後には可聴の呼び出しトーンが提供される。広範囲にわたる様々な有利なリング・トーンおよびリング・バックが提供されてよいということは明白であろう。
【００２６】
完全であるために、何らかの種類の可聴の呼び出しトーンが発信側に提供される場合、インテリジェント周辺装置１３０はワイヤレス・デバイス１１５１に警報メッセージを送信する。一旦着信側が呼に応答すると、音声通信経路を確立するために、ＭＳＣ１１０に応答メッセージが送信される。これらのメッセージは、直接ワイヤレス・デバイス１１５１へ、およびワイヤレス・デバイス１１５１から終端するように示されているが、典型的にこれらのメッセージは、ワイヤレス・デバイス１１５１にサービスを提供するＭＳＣへ、およびそのＭＳＣから送信される。どちらかの側が呼から接続を断つと、解除（ＲＥＬ）および解除完了（ＲＬＣ）メッセージがＭＳＣ１１０とＩＰ１３０との間で送信される。
【００２７】
図３は、本発明による、着信側の位置に応じてマルチメディア・メッセージを提供するための図１のネットワーク要素の間のさらなる例示的な呼フロー３００を示す。図２に関して説明されたフローは、ポイント３０１まで図３にも同様に当てはまる。トーン詳細メッセージを求める要求を受信すると、データ・サーバ１４０は、ワイヤレス・デバイス１１５１のユーザなどの着信側の位置を見つけ出すために、位置詳細メッセージ３０５を求める要求を位置サーバ１６０に送信する。位置サーバ１６０は着信側のアドレスを利用して、例えばワイヤレス・デバイス１１５１などの着信側に対応するワイヤレス・デバイスについての位置情報を取り出すために、その記録のデータベースに問合せを行う。次いで、位置サーバ１６０は返信される位置詳細メッセージ３１５の中で、ワイヤレス・デバイス１１５１の位置をデータ・サーバ１４０に返信する。位置は、例えば緯度と経度で特定されたワイヤレス・デバイス１１５１の未加工の位置を含んでよく、または例えば「ニュージャージー州、マーレイ・ヒル、マウンテン・アベニュー６００」などの地理的なアドレスを含んでもよい。
【００２８】
データ・サーバ１４０はユーザ・プリファレンス・アプリケーション・コードを実行して、ＭＭＳメッセージを生成するために、着信側のアドレスに対応する加入者プロフィールを取り出して、プロフィールの中に記憶されたルールを適用する。生成されたＭＭＳメッセージは着信側が位置している場所の地図、着信側の位置に合わせて調整されるテキストまたは音声記録、着信側の位置の映像、またはその他を含んでもよい。例えば、ワイヤレス・デバイス１１５１の返信される位置または着信側のアドレスは、着信側の位置を示す地図を返送するために、加入者プロフィールの中のルールを起動してもよい。この実施例で、返信される地理的な位置はデータ・サーバ１４０か、またはインターネットを通じて結合されている外部の地図作成サービスに記憶されている地図を調べるために利用される。着信側の位置に合わせて調整されるテキストを伴うさらなる例として、返信される位置はインテリジェント周辺装置１３０に返信される。インテリジェント周辺装置１３０は、「ニュージャージー州、マーレイ・ヒル、マウンテン・アベニュー６００」などの位置に合わせて調整されたテキストを音声に変換し、その音声をＭＭＳメッセージ３２５の中で、ワイヤレス・デバイス１０５１のユーザなどの発信側に伝える。データ・サーバ１４０は、トーン詳細メッセージ３３５に応答を送信する。着信側のプロフィールが取り出された地図またはテキスト・メッセージの他に特定の可聴の呼び出し音も送信するルールを含んでいる場合、メッセージ３３５は任意で特定の可聴の呼び出し音または音声バイトを含む。テキストから音声への変換が必要とされる場合、位置・テキストは最初に、例えばデータ・サーバからインテリジェント周辺装置１３０に送信され、次いでインテリジェント周辺装置１３０が転換を実行する。
【００２９】
次いで、インテリジェント周辺装置１３０は着信側が有効であることをＭＳＣ１１０に示すために、連続性メッセージを送信する。メッセージ３３５が特定の可聴の呼び出し音を含む場合、インテリジェント周辺装置１３０は発信側に対して位置に合わせたリング・トーンを生成する。
【００３０】
この例示的な呼フローで、デバイス１０５１〜１０５ｎなどの発信側デバイスは、着信側の位置に合わせた地図、画像またはテキストを表示するためのディスプレイを有する。
ＩＳＧ１５０とインタフェースする位置サーバ１６０の適切なアーキテクチャ４００のさらなる詳細は、図４で示されている。位置サーバ１６０はクライアント・レンダラ（client renderer）４１０、位置マネージャ４２０、プロフィール・マネージャ４３０、サーバ・ロジック４４０およびプロキシ・サーバ４１５を含んでいる複数のソフトウェア部品を含む。インテリジェント周辺装置１３０は、どの位置に対してどの１つのリング・トーンまたは複数のリング・トーンが再生されるべきであるかということについてのユーザ・プリファレンスを保持する。本発明の教示によってコードを実行する位置サーバ１６０は、ＩＳＧ１５０とインタフェースすることによって、この位置情報を提供する。位置サーバ１６０は、アプリケーション・ホスト環境（ＡＨＥ）ハードウェアとして適切に実装されてもよい。位置サーバ１６０は、位置と地図、およびその他の情報を得るためのＩＳＧ１５０に対するフロント・エンドであってもよい。位置サーバ１６０は、インターネット・プロトコル・マルチ・メディア・サブシステム（ＩＭＳ）要素４６０と通信する。ＭＭＳ要素はＩＳＧ１５０、超分散型ホーム・位置・レジスタ（ＳＤＨＬＲ）・ユーザ・プロフィール情報サーバ４６２、位置サーバ４６４、および強化型ビジネス・サービス供給４６６を含んでもよい。
【００３１】
クライアント・コード４７０は、ワイヤレス・デバイス１１５１などの携帯機器またはハンドセット上で実行する。上で取り上げられたように、この位置対応の方法はセルラー・ネットワークにだけ限定されるわけではなく、ＩＳＧへの呼フローを迂回する近くのＷｉ−ｆｉ（登録商標）アクセス・ポイントからユーザの位置を取得することもできる。上述のように、ＩＳＧ１５０または位置サーバ１６０とインタフェースすることによって、またはその他のやり方によって、一旦位置が取得されると、インテリジェント周辺装置１３０は着信側のユーザの状況を推測し、再生されるべき正しいリング・トーンまたはリング・バックを判定するための優先順位を備えた一連のリング・バック・トーン・プリファレンスを適用する。
【００３２】
位置サーバ１６０はまた、逆の地域別分類を行う役割を果たすこともできる。言い換えると、位置サーバ１６０は、ＩＳＧ１５０などのＩＳＧから取得された、緯度と経度で特定された着信側ユーザの未加工の位置を、「ニュージャージー州、マーレイ・ヒル」などの地理的なアドレスに転換するために利用されることが可能である。この地理的なアドレスはその後ＩＰサーバ１３０に戻され、後でリング・トーンの直前に発信者に送信される合成音声に変換される。
【００３３】
図５は、本発明による、個別のリング・トーンおよびリング・バックなどの個別の位置対応指標を提供するための方法５００のフローチャートを示す。方法工程５１０および５２０は任意のものである。工程５１０で、リング・トーンもしくはリング・バック、または両方ともリング・トーンおよびリング・バックなどの個別の位置指標は後で取り出されるために任意に記憶される。工程５２０で、発信側の少なくとも２つのカテゴリが任意で確立される。さらに工程５２０で、発信側の少なくとも２つのカテゴリにしたがって、少なくとも２つの異なるリング・トーンまたはリング・バックが記憶される。工程５２０は、発信側に与えられるリング・トーンまたはリング・バックが発信側によって決まる場合に適用されるので、この工程は任意である。工程５３０で、発信側は着信側のワイヤレス・デバイスへの呼を開始する。工程５４０で、着信側のワイヤレス・デバイスについての位置情報が取得または受信される。
【００３４】
方法５００のこの時点で、必要に応じて次の工程のために３つの経路が任意で辿られてもよい。ユーザの事前選択によって工程５５０が選択される場合、着信側のワイヤレス・デバイスについての位置情報の関数であるリング・トーンまたはリング・バックが発信側に与えられる。ユーザの事前選択によって工程５６０が選択される場合、着信側のワイヤレス・デバイスについての位置情報の関数である地図、画像またはメッセージが発信側に与えられる。ユーザの事前選択によって工程５７０が選択される場合、着信側のワイヤレス・デバイスの位置情報の機能である地図、画像もしくはメッセージとリング・トーンとの両方が発信側に与えられる。
【００３５】
本発明はセルラーまたはワイヤレス電話の現時点で好ましい状況の中で主に開示されてきたが、本教示は、様々な位置で使用されることが可能であり、本教示を用いて有利に配置されることが可能なインターネット・プロトコル（ＩＰ）電話、ポータブル・ゲーム・デバイス、またはその他などの、広範囲にわたる多数のモバイルネットワークにアクセス可能なデバイスに適用可能であるということを理解されたい。さらに本発明の態様は、携帯ハンドセットの中で実装されるか、またはワイヤレス電話システム中の基地局の一部として実装されることが可能である。
【図面の簡単な説明】
【００３６】
【図１】本発明による例示的なネットワークシステムを示す図である。
【図２】本発明による、着信側の位置によって決まる個別の位置特有のリング・バックを提供するための図１のネットワーク要素の間の例示的な呼フローを示す図である。
【図３】本発明による、着信側の位置によって決まる個別の位置特有のマルチメディア・メッセージを提供するための図１のネットワーク要素の間の例示的な呼フローを示す図である。
【図４】本発明による図１の位置サーバの例示的な機能部品を示す図である。
【図５】本発明による、リング・トーンおよびリング・バックなどの個別の位置対応指標を提供するための方法のフローチャートである。
【図１】
2009508366.tif 000003
【図２】
2009508366.tif 000004
【図３】
2009508366.tif 000005
【図４】
2009508366.tif 000006
【図５】
2009508366.tif 000007
【国際調査報告】
2009508366.tif 000008
2009508366.tif 000009